(57)【特許請求の範囲】
【請求項１】
挿入セットされる飲食商品を上下で支持する複数の上下の商品支持孔夫々が開穿されていて上下に配される支持板から成る支持部と、この支持部の側部から折曲連設した補強部と、支持部の下方に配される底壁部から連設されて支持部の縁部に連繋されていて、支持部上方で相互に合掌される把手部とを備え、これらの支持部、補強部、把手部を所定肉厚の板紙様部材にて形成したことを特徴とするソフトクリーム等の飲食商品用持ち運びパッケージ。
【請求項２】
補強部は、上下の支持板の縁部の少なくともいずれかから下方に折曲連設されることで、あるいは上下の支持板の縁部相互間に架け渡し状にされることで形成してある請求項１に記載のソフトクリーム等の飲食商品用持ち運びパッケージ。
【請求項３】
上下の商品支持孔は飲食商品周囲大きさに対応した内径・内法を備えた孔部の孔縁に複数の起伏自在な折曲支持爪片を連設してある請求項１または２に記載のソフトクリーム等の飲食商品用持ち運びパッケージ。
【請求項４】
折曲支持爪片夫々は、上下の支持板自体に開穿された多角形状の孔部とした上下の商品支持孔の外郭で一回り大きいほぼ多角形状で、その一つおきの角部で周方向と同方向に連続部分を残すようにして切り込み線を断続的に設けると共に、他の一つおきの角部に交わる放射状の切り込み線を設けることで形成してある請求項３に記載のソフトクリーム等の飲食商品用持ち運びパッケージ。
【請求項５】
把手部は、支持部の両側でほぼコ字状となるように対称的に形成されていて、支持部上方に起立させるように互いに持ち来たし、合わせるようにした左右合掌式に構成してある請求項１乃至４のいずれかに記載のソフトクリーム等の飲食商品用持ち運びパッケージ。
【請求項６】
中央に配した底壁部の左右両縁部に支持部域を介してコ字状となる左右の把手部を連設すると共に、左右いずれかの一方の把手部内部には、一方の支持部域の内側面に接合されるように把手部の基部側に配した折伏域を介して下商品支持孔が開穿されている下支持板、及びこの下支持板の側端縁から他方の支持部域の内側面に接合される接合片を連設し、また左右いずれか他方の把手部内には、上商品支持孔に比し大きく開穿した貫挿孔を設けた上支持板用補強板を他方の支持部域に連設し、この上支持板補強板の側端縁から一方の支持部域に接合される接合片を連設して成るパッケージ本体板と、前記上支持板用補強板の上面に接着されるよう上商品支持孔が開穿されている上支持板の前後縁に折り伏し状となる前後の補強部を連設して成る補強板とで構成した請求項１乃至５のいずれかに記載のソフトクリーム等の飲食商品用持ち運びパッケージ。
【請求項７】
中央に配した底壁部の左右両縁部に支持部域を介してコ字状となる左右の把手部を連設すると共に、左右の把手部内部には、左右に分割され、端縁が相互に突き合わせられ、また上商品支持孔が開穿されていて支持部の上支持板となる半割支持板を連設することで左右対称に形成したパッケージ本体板と、端縁が突き合わせられた半割支持板の内側面に接着され、この半割支持板に開穿してある上商品支持孔に比し大きく開穿した貫挿孔を設けた上支持板用補強板の前後縁に補強部を連設すると共に、いずれか一方の補強部から下商品支持孔が開穿されている下支持板を連設し、この下支持板を他方の補強部に接続片を介して筒状に連結形成できるようにして成る補強板とで構成した請求項１乃至５のいずれかに記載のソフトクリーム等の飲食商品用持ち運びパッケージ。
【請求項８】
中央に配した底壁部の左右両縁部に支持部域を介してコ字状となる左右の把手部を連設すると共に、左右の把手部内部には、相互に表裏で接着されるよう、いずれか一方は上商品支持孔が開穿されている上支持板とし、いずれか他方は上商品支持孔に対応合致する貫挿孔が開穿されている上支持板用補強板として、支持部域から夫々連設する一方、底壁部の前後縁に折り起こし形成される前後の補強部を連設し、この補強部のいずれか一方には下支持板を連設し、補強部のいずれか他方には下支持板に接続する接続片を連設して成るパッケージ本体板によって構成した請求項１乃至５のいずれかに記載のソフトクリーム等の飲食商品用持ち運びパッケージ。
【請求項９】
中央に配した底壁部の左右両縁部に支持部域を介してコ字状となる左右の把手部を連設すると共に、左右の把手部内部には、相互に表裏で接着されるよう、いずれか一方は上商品支持孔が開穿されている上支持板とし、いずれか他方は上商品支持孔に対応合致する貫挿孔が開穿されている上支持板用補強板として、支持部域から夫々連設することで左右対称に形成したパッケージ本体板と、このパッケージ本体板の底壁部の内側面に、パッケージ本体板に対してほぼ直交状にして接着される半割接続片の前後縁のいずれかに一方の補強部を介して下支持板を連設し、この下支持板から更に他方の補強部を介して、パッケージ本体板の底壁部の内側面に接着される半割接続片を連設して成る補強板とで構成した請求項１乃至５のいずれかに記載のソフトクリーム等の飲食商品用持ち運びパッケージ。
【請求項１０】
中央に配した底壁部の前後両縁部に折り起こし状の補強部を配し、また左右両縁部に支持部域を介してコ字状となる左右の把手部を連設すると共に、左右の把手部内部には、相互に端縁で突き合わせ状となって上支持板の内側面を接着するよう、上商品支持孔に対応合致する貫挿孔が開穿されている半割補強片夫々を連設することで左右対称に形成したパッケージ本体板と、半割補強片夫々の表面に接着され、上商品支持孔が開穿されている上支持板と、補強部のいずれか一方に接着される接続片、補強部のいずれか他方に接着される接続片を前後縁夫々に連設して成る下支持板とで構成した請求項１乃至５のいずれかに記載のソフトクリーム等の飲食商品用持ち運びパッケージ。
【請求項１１】
中央に配した底壁部の左右両縁部に支持部域を介してコ字状となる左右の把手部を連設すると共に、左右の把手部内部には、相互に表裏で接着されるよう、いずれか一方は上商品支持孔が開穿されている上支持板とし、いずれか他方は上商品支持孔に対応合致する貫挿孔が開穿されている上支持板用補強板として、支持部域から夫々連設することで左右対称に形成したパッケージ本体板と、このパッケージ本体板に対してほぼ直交状にして上支持板用補強板に接着される半割接続片の前後縁のいずれかに一方の補強部を介して下商品支持孔が開穿されている下支持板を連設し、この下支持板から更に他方の補強部を介して、前記上支持板用補強板の内側面に接着される半割接続片を連設して成る補強板とで構成した請求項１乃至５のいずれかに記載のソフトクリーム等の飲食商品用持ち運びパッケージ。
【請求項１２】
中央に配した底壁部の左右両縁部に支持部域を介してコ字状となる左右の把手部を連設すると共に、左右の把手部内部には、相互に端縁で突き合わせ状となって上支持板となるよう上商品支持孔が開穿されている半割上支持板夫々を連設することで左右対称に形成したパッケージ本体板と、このパッケージ本体板に対してほぼ直交状にして半割上支持板の前後部分のいずれかの内側面に接着されるよう、上商品支持孔に対応合致する貫挿孔が開穿されている半割上支持板用補強片の前後縁のいずれかに一方の補強部を介して下商品支持孔が開穿されている下支持板を連設し、この下支持板から更に他方の補強部を介して、前記半割上支持板の前後部分のいずれかの内側面に接着されるよう、上商品支持孔に対応合致する貫挿孔が開穿されている半割上支持板用補強板を連設して成る補強板とで構成した請求項１乃至５のいずれかに記載のソフトクリーム等の飲食商品用持ち運びパッケージ。
【請求項１３】
中央に配した底壁部の左右両縁部に支持部域を介して、いずれか一方の支持部域には上商品支持孔が開穿されている上支持板を連設し、この上支持板の前後縁から支持部域の前後縁部分では切離されるようにして補強部を折り伏し状に連設すると共に他方の支持部域に接合される接続片を折曲状に連設し、またいずれか他方の支持部域には上支持板に重ね合わせて接着されるよう、上商品支持孔に対応合致する貫挿孔が開穿されている上支持板用補強板、前記の一方の支持部域に接合される折伏域、下商品支持孔が開穿されている下支持板夫々を順次に連設し、下支持板には更に他方の支持部域の内側面に接合される接続片を連設して形成したパッケージ本体板と、底部が左右の支持部域夫々の外側面に接合される接続片となっているほぼ矩形枠状に形成した左右の把手部とで構成した請求項１乃至５のいずれかに記載のソフトクリーム等の飲食商品用持ち運びパッケージ。
【請求項１４】
中央に配した底壁部の左右両縁部に支持部域を介して左右の把手部を連設して成るパッケージ本体板と、下商品支持孔が開穿されている下支持板の左右両縁に支持部域の内側面夫々に接合する左右の接合片を連設すると共に、いずれか一方の接合片には前後縁に補強部が折曲自在に連設されている上支持板を連設し、いずれか他方の接合片には上商品支持孔が開穿されている上支持板に重ね合わせて接着されるよう、上商品支持孔に対応合致する貫挿孔が開穿されている上支持板用補強板を連設して成る補強板とで構成した請求項１乃至５のいずれかに記載のソフトクリーム等の飲食商品用持ち運びパッケージ。
【請求項１５】
挿入セットされる飲食商品を上下で支持する複数の上下の商品支持孔夫々が開穿されていて上下に配される支持板から成る支持部と、この支持部の側部から折曲連設した補強部とを備え、これらの支持部、補強部を所定肉厚の板紙様部材にて形成して成り、中央に配した底壁部の左右両縁部に支持部域を介して、いずれか一方の支持部域には上商品支持孔が開穿されている上支持板を連設し、この上支持板の前後縁から支持部域の前後縁部分では切離されるようにして補強部を折り伏し状に連設すると共に他方の支持部域に接合される接続片を折曲状に連設し、またいずれか他方の支持部域には上支持板に重ね合わせて接着されるよう、上商品支持孔に対応合致する貫挿孔が開穿されている上支持板用補強板、前記の一方の支持部域に接合される折伏域、下商品支持孔が開穿されている下支持板夫々を順次に連設し、下支持板には更に他方の支持部域の内側面に接合される接続片を連設して形成したパッケージ本体板にて構成したことを特徴とするソフトクリーム等の飲食商品用持ち運びパッケージ。
【発明の詳細な説明】
【０００１】
【発明の属する技術分野】
本発明は主としてソフトクリーム、ジェラード等を店頭販売する場合に、その複数個のものを同時に纏めて持ち運べ、販売者、購入者夫々の手間を大幅に節減できるようにしたソフトクリーム等の飲食商品用持ち運びパッケージに関するものである。
【０００２】
【従来の技術】
従来から主としてソフトクリーム等を店頭販売する場合、その商品の性質上ソフトクリーム自体が溶解される前に購入者が直ちに供食できるように、通常は購入者毎に１個宛を手渡ししていることが多い。ところが多人数の者が供食する場合に、その代表者等が纏めて購入するときには、立てた状態に置かなければならないからソフトクリーム自体を購入者自身の手指等で直接に持つとしても片手で１個宛しか持つことができず、夫々の者が販売店に交代で押しかけることにもなる。特に観光地、行楽地等では、店内で販売する場合は別としても、ソフトクリームを軒先で販売する場合には、例えば多人数の家族・グループ等が購入しようとすると、購入者自身は精々２乃至３個程度しか一度に持つことができないから、例えば子供等に手渡した後に次の分を受け取り、再度手渡す等の販売者、購入者の双方に多大な手間が掛かり、その受け渡し等の販売効率は極めて悪いものである。しかもこうした観光地、行楽地での店頭の軒先あるいは移動販売車両等を利用した販売では、供食のための椅子、テーブル等が予め用意されていないことが多いことも相俟って、一時に数多くのソフトクリームを購入者が取り扱うには面倒なものであった。
【０００３】
そればかりでなく、このような軒先にて販売する場合、購入のために多人数、特に童幼児、高齢者等が並んでいると、購入者にとっては商品の授受に時間が掛かることが予想され、またそのための時間的ロスが生じることから、購入を断念することも多く、販売者にとっては販売機会を喪失することにもなっている。
【０００４】
【発明が解決しようとする課題】
すなわちこのようにソフトクリームを一度に数多く販売する場合には、販売者、購入者双方共に面倒な手間が掛かっており、特に短時間に多くの人が一度に購入するようなときには非常な混雑が生じ、誤って落としてしまったり、販売個数・販売金額等を間違えてしまったりすることもあり、販売者、購入者共に時間的なロスが生じていた。またこれは、こうしたソフトクリームの販売に限らず、例えばジェラードや紙コップ入りの各種飲料の販売等においても同様な問題が生じていたものである。特にソフトクリーム等の販売は、販売場所の状況等の雰囲気に大きく左右されることがあり、販売者にとっては購入者をして如何に購入させるような意欲・意志を持ってもらうのかが一つの重要なポイントになっているのであり、購入者自身の手間が省けるならば、余分に購入される機会が多くなるのも事実である。
【０００５】
そこで本発明は上述のような従来存した諸事情に鑑み創出されたもので、販売後に直ちに供食されるような例えばソフトクリーム、カップ入り各種飲料等の飲食商品を軒先等で店頭販売するに際し、数多くのものを一度に携帯保持できるようにすることで、混雑時でも簡単に処理できて販売者、購入者双方の利便性を図り、しかも数多くのものを持ち帰るにも飲食商品等が傾倒することがない安定性、飲食商品等の重量に耐え得る強度性があり、また購入者にとっても携帯持参等の取り扱いが容易になることで販売数の増大をも期待できるばかりでなく、扁平状に折り畳み保管してあっても使用時には各部を起こすだけで簡単迅速に使用できる容易性があり、また使用後は簡単に廃棄処理できる簡便性もあるソフトクリーム等の飲食商品用持ち運びパッケージを提供することを目的とする。
【０００６】
【課題を解決するための手段】
上述した目的を達成するため、本発明にあっては、挿入セットされる飲食商品Ｇを上下で支持する複数の上下の商品支持孔３，６夫々が開穿されていて上下に配される支持板２，５から成る支持部１と、この支持部１の側部から折曲連設した補強部１０と、支持部１の下方に配される底壁部９から連設されて支持部１の縁部に連繋されていて、支持部１上方で相互に合掌される把手部２０とを備え、これらの支持部１、補強部１０、把手部２０を所定肉厚の板紙様部材にて形成したものである。
補強部１０は、上下の支持板２，５の縁部の少なくともいずれかから下方に折曲連設されることで、あるいは上下の支持板２，５の縁部相互間に架け渡し状にされることで形成することができる。
上下の商品支持孔３，６は飲食商品Ｇ周囲大きさに対応した内径・内法を備えた孔部の孔縁に複数の起伏自在な折曲支持爪片４，７を連設して構成でき、更にこの折曲支持爪片４，７夫々は、多角形状の孔部として開穿された上下の商品支持孔３，６の外郭で一回り大きいほぼ多角形状で、その一つおきの角部で周方向と同方向に連続部分を残すようにして切り込み線ａを断続的に設けると共に、他の一つおきの角部に交わる放射状の切り込み線ｂを設けることで形成したものである。
把手部２０は、支持部１の両側でほぼコ字状となるように対称的に形成されていて、支持部１上方に起立させるように互いに持ち来たし、合わせるようにした左右合掌式に構成することができる。
具体的な第１の例としては、中央に配した底壁部９の左右両縁部に支持部域３２Ａ，３２Ｂを介してコ字状となる左右の把手部２０を連設すると共に、左右いずれかの一方の把手部２０内部には、一方の支持部域３２Ａの内側面に接合されるように把手部２０の基部側に配した折伏域３３を介して下商品支持孔６が開穿されている下支持板５、及びこの下支持板５の側端縁から他方の支持部域３２Ｂの内側面に接合される接合片３４を連設し、また左右いずれか他方の把手部２０内には、上商品支持孔３に比し大きく開穿した貫挿孔３６を設けた上支持板用補強板３５を他方の支持部域３２Ｂに連設し、この上支持板補強板３５の側端縁から一方の支持部域３２Ａに接合される接合片３７を連設して成るパッケージ本体板３１と、前記上支持板用補強板３５の上面に接着されるよう上商品支持孔３が開穿されている上支持板２の前後縁に折り伏し状となる前後の補強部１０を連設して成る補強板３８とで構成することができる。
具体的な第２の例としては、中央に配した底壁部９の左右両縁部に支持部域４２を介してコ字状となる左右の把手部２０を連設すると共に、左右の把手部２０内部には、左右に分割され、端縁が相互に突き合わせられ、また上商品支持孔３が開穿されていて支持部１の上支持板２となる半割支持板４３を連設することで左右対称に形成したパッケージ本体板４１と、端縁が突き合わせられた半割支持板４３の内側面に接着され、この半割支持板４３に開穿してある上商品支持孔３に比し大きく開穿した貫挿孔４６を設けた上支持板用補強板４５の前後縁に補強部１０を連設すると共に、いずれか一方の補強部１０から下商品支持孔６が開穿されている下支持板５を連設し、この下支持板５を他方の補強部１０に接続片４７を介して筒状に連結形成できるようにして成る補強板４４とで構成することができる。
具体的な第３の例としては、中央に配した底壁部９の左右両縁部に支持部域５２を介してコ字状となる左右の把手部２０を連設すると共に、左右の把手部２０内部には、相互に表裏で接着されるよう、いずれか一方は上商品支持孔３が開穿されている上支持板２とし、いずれか他方は上商品支持孔３に対応合致する貫挿孔５４が開穿されている上支持板用補強板５３として、支持部域５２から夫々連設する一方、底壁部９の前後縁に折り起こし形成される前後の補強部１０を連設し、この補強部１０のいずれか一方には下支持板５を連設し、補強部１０のいずれか他方には下支持板５に接続する接続片５５を連設して成るパッケージ本体板５１によって構成することができる。
具体的な第４の例としては、中央に配した底壁部９の左右両縁部に支持部域６２を介してコ字状となる左右の把手部２０を連設すると共に、左右の把手部２０内部には、相互に表裏で接着されるよう、いずれか一方は上商品支持孔３が開穿されている上支持板２とし、いずれか他方は上商品支持孔３に対応合致する貫挿孔６４が開穿されている上支持板用補強板６３として、支持部域６２から夫々連設することで左右対称に形成したパッケージ本体板６１と、このパッケージ本体板６１の底壁部９の内側面に、パッケージ本体板６１に対してほぼ直交状にして接着される半割接続片６６Ａの前後縁のいずれかに一方の補強部１０を介して下支持板５を連設し、この下支持板５から更に他方の補強部１０を介して、パッケージ本体板６１の底壁部９の内側面に接着される半割接続片６６Ｂを連設して成る補強板６５とで構成することができる。
具体的な第５の例としては、中央に配した底壁部９の前後両縁部に折り起こし状の補強部１０を配し、また左右両縁部に支持部域７２を介してコ字状となる左右の把手部２０を連設すると共に、左右の把手部２０内部には、相互に端縁で突き合わせ状となって上支持板２の内側面を接着するよう、上商品支持孔３に対応合致する貫挿孔７４が開穿されている半割補強片７３夫々を連設することで左右対称に形成したパッケージ本体板７１と、半割補強片７３夫々の表面に接着され、上商品支持孔３が開穿されている上支持板２と、補強部１０のいずれか一方に接着される接続片７５、補強部１０のいずれか他方に接着される接続片７６を前後縁夫々に連設して成る下支持板５とで構成することができる。
具体的な第６の例としては、中央に配した底壁部９の左右両縁部に支持部域８２を介してコ字状となる左右の把手部２０を連設すると共に、左右の把手部２０内部には、相互に表裏で接着されるよう、いずれか一方は上商品支持孔３が開穿されている上支持板２とし、いずれか他方は上商品支持孔３に対応合致する貫挿孔８４が開穿されている上支持板用補強板８３として、支持部域８２から夫々連設することで左右対称に形成したパッケージ本体板８１と、このパッケージ本体板８１に対してほぼ直交状にして上支持板用補強板８３に接着される半割接続片８６Ａの前後縁のいずれかに一方の補強部１０を介して下商品支持孔６が開穿されている下支持板５を連設し、この下支持板５から更に他方の補強部１０を介して、前記上支持板用補強板８３の内側面に接着される半割接続片８６Ｂを連設して成る補強板８５とで構成することができる。
具体的な第７の例としては、中央に配した底壁部９の左右両縁部に支持部域９２を介してコ字状となる左右の把手部２０を連設すると共に、左右の把手部２０内部には、相互に端縁で突き合わせ状となって上支持板２となるよう上商品支持孔３が開穿されている半割上支持板９３夫々を連設することで左右対称に形成したパッケージ本体板９１と、このパッケージ本体板９１に対してほぼ直交状にして半割上支持板９３の前後部分のいずれかの内側面に接着されるよう、上商品支持孔３に対応合致する貫挿孔９６が開穿されている半割上支持板用補強片９５の前後縁のいずれかに一方の補強部１０を介して下商品支持孔６が開穿されている下支持板５を連設し、この下支持板５から更に他方の補強部１０を介して、前記半割上支持板９３の前後部分のいずれかの内側面に接着されるよう、上商品支持孔３に対応合致する貫挿孔９８が開穿されている半割上支持板用補強板９７を連設して成る補強板９４とで構成することができる。
具体的な第８の例としては、中央に配した底壁部９の左右両縁部に支持部域１０２を介して、いずれか一方の支持部域１０２には上商品支持孔３が開穿されている上支持板２を連設し、この上支持板２の前後縁から支持部域１０２の前後縁部分では切離されるようにして補強部１０を折り伏し状に連設すると共に他方の支持部域１０２に接合される接続片１０３を折曲状に連設し、またいずれか他方の支持部域１０２には上支持板２に重ね合わせて接着されるよう、上商品支持孔３に対応合致する貫挿孔１０５が開穿されている上支持板用補強板１０４、前記の一方の支持部域１０２に接合される折伏域１０６、下商品支持孔６が開穿されている下支持板５夫々を順次に連設し、下支持板５には更に他方の支持部域１０２の内側面に接合される接続片１０７を連設して形成したパッケージ本体板１０１と、底部が左右の支持部域１０２夫々の外側面に接合される接続片２１となっているほぼ矩形枠状に形成した左右の把手部２０とで構成することができる。なお、この第８の例にあっては、左右の把手部２０をパッケージ本体板１０１に接合させずに、パッケージ本体板１０１のみで組立、使用するようにすることも可能である。
具体的な第９の例としては、中央に配した底壁部９の左右両縁部に支持部域１１２を介して左右の把手部２０を連設して成るパッケージ本体板１１１と、下商品支持孔６が開穿されている下支持板５の左右両縁に支持部域１１２の内側面夫々に接合する左右の接合片１１４を連設すると共に、いずれか一方の接合片１１４には前後縁に補強部１０が折曲自在に連設されている上支持板２を連設し、いずれか他方の接合片１１４には上商品支持孔３が開穿されている上支持板２に重ね合わせて接着されるよう、上商品支持孔３に対応合致する貫挿孔１１６が開穿されている上支持板用補強板１１５を連設して成る補強板１１３とで構成することができる。
【０００７】
以上のように構成された本発明に係るソフトクリーム等の飲食商品用持ち運びパッケージにおいて、支持部１における上下の商品支持孔３，６に挿入セットさせた例えばソフトクリームの如き飲食商品Ｇは、支持部１の側部に配した補強部１０によって支持部１自体が補強されていることで支持部１の上下方向に沿って立てられた状態でしっかりと支持され、支持部１の縁部から連繋され、支持部１下方の底壁部９から連設された左右の把手部２０によってそれらが複数で纏められて携帯される。
上下の商品支持孔３，６は挿入セットさせた飲食商品Ｇを、その上下でかつ周囲からの上下の折曲支持爪片４，７によって半ば押さえつけて傾倒を阻止させることで、立てた状態で支持させ、また複数の飲食商品Ｇを纏めて支持させる。
補強部１０は支持部１の側部で、その上下の支持板２，５のいずれかから折曲連設、縁部相互間で架け渡しされていることで板状の支持部１自体の撓曲、上下の支持板２，５相互の座屈・扁平圧潰等を阻止し、支持部１で支持する飲食商品Ｇ等の重量に耐えさせる。
把手部２０は底壁部９から起立され、支持部１側部を経て上方位置で合掌されることで、補強部１０で補強されていて、複数の飲食商品Ｇを支持している支持部１を安定した状態で携帯させ、販売者から購入者に纏めて受け渡せ、持ち帰らせる。
また底壁部９上に、支持部１における上下に配された支持板２，５があることで、底壁部９、下支持板５相互で、上下の支持板２，５相互で前後方向あるいは左右方向で扁平に折り畳まれることで把手部２０を含めて全体が扁平状となり、未使用時、保管時のスペースを小さくさせ、使用に際しては起こすことで直ちに飲食商品Ｇ等を支持可能にさせる。
具体的な第１の例において、パッケージ本体板３１の底壁部９、上支持板２相互間で下支持板５が左右で蛇行的連繋形態で配置され、補強板３８における上支持板２の前後縁から折り伏される補強部１０が支持部１の左右に沿う扁平を阻止し、上支持板用補強板３５が上支持板２と重畳化して堅牢性を増大させる。また補強部１０を前後方向で伸展することで、全体を左右方向に沿って扁平で折り畳ませる。
具体的な第２の例において、筒状に組み立てられる補強板４４による上支持板用補強板４５がパッケージ本体板４１の上支持板２と重畳化して堅牢性を増大させると共に、左右の把手部２０を支持部１の上支持板２部位で連繋させ、補強板４４による前後方向の扁平で全体を左右方向で扁平化させる。
具体的な第３の例において、１枚構成のパッケージ本体板５１による組立で補強された支持部１を形成させ、上支持板用補強板５３が上支持板２を重畳化して堅牢性を増大させており、筒構造となる底壁部９、補強部１０、下支持板５等の前後方向に沿う扁平の折り畳みで全体を左右方向で扁平化させる。
具体的な第４の例において、筒状となる補強板６５が底壁部９上で接着されることで底壁部９を重畳化し、また上支持板用補強板６３が上支持板２に接着されることで上支持板２自体を重畳化してパッケージ全体の上下での堅牢性を増大して耐荷重性を一層良好なものとさせ、補強板６５部分の前後方向に沿う扁平で全体を折り畳ませる。
具体的な第５の例において、底壁部９との接着で底壁部９上に配される下支持板５と、半割補強片７３夫々に跨って接着される上支持板２とで支持部１を形成させており、また半割補強片７３による接着で上支持板２を重畳化して堅牢性を増大させており、筒構造となる底壁部９、補強部１０、下支持板５等の前後方向に沿う扁平の折り畳みで全体を左右方向で扁平化させる。
具体的な第６の例において、補強板８５における前後の半割接続片８６Ａ，８６Ｂが上支持板２に、また上支持板用補強板８３が上支持板２に共に接着されることで上支持板２を３層状に重畳化して堅牢性を一層増大させることで、相当な重量がある飲食商品Ｇに対しても使用可能にしており、更に筒構造となる上支持板２、補強部１０、下支持板５等の前後方向に沿う扁平の折り畳みで全体を左右方向で扁平化させる。
具体的な第７の例において、筒構造となる補強板９４の半割上支持板用補強板９７が上支持板２に接着されて上支持板２を重畳化して堅牢性を増大させると共に、左右の把手部２０を支持部１の上支持板２部位で連繋させ、補強板９４による前後方向の扁平で全体を左右方向で扁平化させる。
具体的な第８の例において、筒構造となるパッケージ本体板１０１においての上支持板用補強板１０４が上支持板２に接着されて上支持板２を重畳化して堅牢性を増大させると共に、筒構造となっているパッケージ本体板１０１の左右で把手部２０夫々を接着させることで、組立に際する接着作業の機械化を図り得るものとさせ、補強部１０の折り起こしで支持部１を含め簡単に全体を左右方向で扁平化させる。
具体的な第９の例において、筒構造となる補強板１１３の上支持板用補強板１１５が上支持板２に接着されて上支持板２を重畳化して堅牢性を増大させると共に、筒構造となっている補強板１１３を左右対称的なパッケージ本体板１１１内に接着させることと相俟ち、組立に際する接着作業の機械化を図り得るものとさせ、補強部１０の折り起こしで支持部１を含め全体を簡単に左右方向で扁平化させる。
【０００８】
【発明の実施の形態】
以下、図面を参照して本発明の実施の形態を説明するに、図に示される符号１は飲食商品Ｇをその上下２カ所で支持する支持部であり、例えば店舗の軒先、移動販売車等を利用して店頭販売されるソフトクリーム、ジェラード、紙コップ入り清涼飲料その他の直ちに供食可能な飲食商品Ｇを複数で立てたままで支持するもので、例えばソフトクリームのコーン部分の上下を２カ所で支持するようにしている。そしてこの支持部１には、本発明の構成を概念的に示す図７にあるように、飲食商品Ｇを支持した状態で支持部１自体を補強する補強部１０、また手指等で持つ把手部２０を設けてあり、これらの支持部１、補強部１０、把手部２０等は適宜肉厚の例えば板厚紙により配置形成され、その組立によって構成されるようになっている。具体的にはすなわち図１に示すように、組み立てられたパッケージはそれ自体で例えば販売台その他のテーブル等の上で自立可能になるものとして形成されており、例えば４個の飲食商品Ｇを立てて挿入することで飲食商品Ｇを上下の２点支持で倒立させることなく支持でき、その状態で把手部２０によって持つことで購入者に手渡しでき、そのまま持ち帰らせることができるようにしている。
【０００９】
なお支持部１、補強部１０、把手部２０等の形成素材は、適宜肉厚の板厚紙を主として利用するも、これに限らず、ある程度の剛性があるような折曲可能な薄板状素材例えば合成樹脂板その他によることも可能である。また板厚紙とするときは清潔感があるように表裏の耐水処理、つや出し処理等を施すことが望ましく、また素材の種別に関わりなく一般的に適当な色彩、模様等を印刷等によって表示することもできる。
【００１０】
支持部１は板厚紙自体によって上下に配置形成された薄板状の上支持板２、下支持板５夫々に上下方向で対応合致させて上商品支持孔３、下商品支持孔６夫々を開穿配列することで構成されており、飲食商品Ｇの上下部分、例えばソフトクリームであるとそのコーン部分の上下部位を嵌め入れるようになっている。またこの支持部１は把手部２０によって販売者、購入者等の授受者夫々の手指等で持ち運ばれるものとなっており、図示のように支持部１と把手部２０とは一連にあるいは接合されることで一体的に構成されていて、支持部１下方に配された底壁部９によって左右ないし前後対称構造の把手部における左右部分ないし前後部分夫々を連繋していると共に、把手部２０自体は支持部１の左右あるいは前後に位置していることで、支持部１は把手部２０によって挟み込まれるようになっている。なお支持部１自体は、上下の支持板２，５を少なくとも備えていればよく、把手部２０との一体構成の態様によって、自体が角筒状に形成されていたり、補強を兼ねる接合板によって上下の支持板２，５の少なくともいずれかが突き合わせ状に配置されて接合されていたり等によって形成される。
【００１１】
底壁部９は板厚紙自体によって薄板状に形成されており、その底面で例えば販売台、テーブル面等にそのまま載置され、載置されることで組み立てられたパッケージ全体を立てた状態に保持している。また支持部１に挿入されることで支持された飲食商品Ｇは、図３に示すように飲食商品Ｇの底部が底壁部９の上面に直接に当接されることで、安定性よく支持されるものとなっている（図３参照）。なお底壁部９の幅員は、支持部１における幅員とほぼ同一のものとしてあることで、組立後の全体の扁平状の折り畳みが円滑となるように考慮してあるも、必要があれば、底壁部９幅員を大きく、支持部１上方に行くに従い次第に狭幅となる側面から見て台形状を呈するようにすることも可能である。
【００１２】
また支持部１における上下の支持板２，５夫々に開穿配列された上下の商品支持孔３，６夫々は、図に示すように販売者から購入者に受け渡し、また購入者が持ち帰る飲食商品Ｇを半ば強制的に挿入セットさせることで飲食商品Ｇ周囲から飲食商品Ｇ自体を立てたままで挟み込み支持するようにしてあり、飲食商品Ｇ周囲大きさに対応した内径・内法を備えた孔部の孔縁に複数の起伏自在な上下の折曲支持爪片４，７を連設したものである。
【００１３】
孔部自体は例えば図４に示すように平面でほぼ８角形を呈するものとし、折曲支持爪片４，７は孔部の孔縁における直線状の辺縁を上縁とし、孔部自体の中心を通る放射線上を左右側縁とする台形部分が隣接するもの同士で平面で山形状を呈する対状に連設すると共に、いずれか一方の台形部分の底辺にて夫々の支持板２，５自体に一部を連結するようにして設けた切り込みによって平面で鈍角二股形状に形成されているものである。すなわち支持部１自体を上述したように適宜肉厚の板厚紙によって形成するとき、その板厚紙自体に平面でほぼ８角形状の孔部を開穿すると共に、その外郭で一回り大きいほぼ８角形状で、その一つおきの角部で周方向と同方向に連続部分を残すようにして切り込み線ａを断続的に設けると共に、他の一つおきの角部に交わる放射状の切り込み線ｂを設けることで、１つの商品支持孔３，６には４片の折曲支持爪片４，７を夫々形成するのである。そして折曲支持爪片４，７自体は商品支持孔３，６の上方から飲食商品Ｇを挿入するときに、大径広幅タイプの飲食商品Ｇであれば支持板２，５下方に折り伏し状となって飲食商品Ｇの周囲に、原位置に水平復帰しようとする復原作用と相俟ちしっくりと当接するのであり（図３（Ａ）参照）、小径狭幅タイプの飲食商品Ｇであれば折り伏されずに内縁が飲食商品Ｇの周囲に当接するのである（図３（Ｂ）参照）。なお飲食商品Ｇによっては、上下の折曲支持爪片４，７のいずれか一方のみが折り伏し状になったり、飲食商品Ｇの底部が底壁部９上面に到達せずに上下の商品支持孔３，６で支持されるものとなったり等することもある。
【００１４】
また図示にあっての支持部１自体は平面で、例えば４個のソフトクリーム（Ｇ）を前後左右で２列で並べられる程度の大きさを備えた長方形状としてあるも、複数個のソフトクリーム（Ｇ）を支持できればよいから、補強部１０による補強に関連して複数の商品支持孔３，６の配列形態を単数列としたり、千鳥配列としたりしてもよく、また支持部１自体の平面形状も正方形、円形、楕円形その他の任意の形状とすることも可能である。
【００１５】
更には商品支持孔３，６自体の形状は図示例の平面でほぼ８角形状とする場合に限らず、飲食商品Ｇの形状に対応して６角形、４角形、３角形その他の多角形更には円形、楕円形等にすることも可能であり、商品支持孔３，６の配列形態と共に適宜に選定可能である。更に上下の折曲支持爪片４，７自体は、商品支持孔３，６の孔縁から内部に突出するものとなることで飲食商品Ｇを周囲から押さえるものとなっていればよいから、図示を省略したが商品支持孔３，６の内法大きさに比し短くした三角形状とすることもでき、こうすることで飲食商品Ｇの商品支持孔３，６への挿入セットを一層簡便に行える。
【００１６】
補強部１０は、飲食商品Ｇ等を支持したときの支持部１自体の撓み、歪み等を阻止するもので、支持部１における上下の支持板２，５のいずれかの側縁から、あるいは上下の支持板２，５の側縁相互間に跨るように一連にあるいは接合して設けられている。またこの補強部１０は、支持部１を把手部２０によって一連にあるいは接合することで連結構成するとき、筒状で開放されている開口部分である支持部１の側縁に位置して設けられ、支持部１、把手部２０と同様に適宜肉厚の板厚紙材にて形成されている。補強部１０の両側縁は、把手部２０の内側面に突き当て状に当接するもので、把手部２０によって両側から拘束されることで支持部１自体の歪形その他を防止している。
【００１７】
なおこの補強部１０は、支持部１縁部で折曲状に支持部１から連設されることで支持部１自体を、支持部１に挿入セットした飲食商品Ｇによる重量等に耐える堅牢性あるものとすれば足りる。更に場合によっては支持部１を形成している上下の支持板２，５自体を二重、三重にする等の積層化することにより、また上下の支持板２，５の構成素材部分を接合することにより等で支持部１の上下部分自体を補強可能にもしている。
【００１８】
更に把手部２０は、支持部１の縁部の左右夫々に基部が連続されているほぼコ字状となるように支持部１の左右あるいは前後で対称的に形成されており、支持部１上方に起立させるように互いに持ち来たし、合わせた状態で手指等によって握持することにより持つことができるようにした左右合掌式に構成してある。すなわち支持部１の縁部夫々を外側方に向かって延長した部分の左右縁夫々に把手部２０の基部が連続しており、例えば支持部１における上下の支持板２，５の側部周囲を囲繞するように、支持部１の一方の縁部から他方の縁部に連続するほぼコ字状を呈している。そして左右あるいは前後で当接状に合掌して重ね合わせる合掌部分では、支持部１面に対して合掌面がほぼ直交するように相互に内側が当接するものとされたり、合掌面が支持部１に対してほぼ並行するように一方の内面が他方の外面に当接するものとされたりいずれであってもよく、要は左右あるいは前後による合掌部分が合わせて手指等によって同時に握持されるようになっていればよい。またこの把手部２０においては、合掌部分位置は支持部１に立てた状態で支持させた飲食商品Ｇの上方に設定されるものとしてあり、合掌部分に手指等を挿入したときに飲食商品Ｇには当たらないように配慮しておく。
【００１９】
このような支持部１、補強部１０、把手部２０は平面でほぼ矩形状を呈する１枚あるいは２枚以上の板厚紙に所定の切断線、折り線、切り抜き線、切離線等を設けておき、必要時にそれらによって切り離し、折曲し更に接合して組み立てることで構成できるようにしてある。その展開形態の幾つかの具体例を、その組立手順と共に次に説明するも、本発明はこれらに限定されるものでないことは勿論であり、組立使用時において、飲食商品Ｇを挿入セットして支持する支持部１、飲食商品Ｇの重量等に耐えるように支持部１を補強する補強部１０、全体を持ち運ぶための把手部２０が一体的に構成されていれば足り、またその使用前では折り畳まれ、使用時に立体化されればよいものとされる。
【００２０】
なお本発明における実施の形態では、支持部１の側部に把手部２０が配されるものとなっており、その位置は支持部１の左右ないし前後のいずれであってもよいが、本明細書における説明では、便宜上、支持部１の左右に把手部２０があるものとして説明される。したがって「左右」、「前後」は説明の便宜上で使用されるも、これは実質的には「前後」、「左右」であっても同一なものである。
【００２１】
図１乃至図６に示された第１の実施の形態では、支持部１の一部、把手部２０を一連に配置したパッケージ本体板３１と、このパッケージ本体板３１に接合される補強部１０を有し、支持部１の一部を配置した補強板３８とを別葉にし、接着によって一体構成したものである。すなわち図５に示すように、パッケージ本体板３１は、中央に配した底壁部９の左右両縁部に支持部域３２Ａ，３２Ｂを介してコ字状となる左右の把手部２０を連設すると共に、左右いずれかの一方の把手部２０内部には、一方の支持部域３２Ａの内側面に接合されるように把手部２０の基部側に配した折伏域３３を介して下支持板５、及びこの下支持板５の側端縁から他方の支持部域３２Ｂの内側面に接合される接合片３４を連設し、また左右いずれか他方の把手部２０内には、上商品支持孔３に比し大きく開穿した貫挿孔３６を設けた上支持板用補強板３５を他方の支持部域３２Ｂに連設し、この上支持板補強板３５の側端縁から一方の支持部域３２Ａに、例えばその外側面に接合される接合片３７を連設して成る（図５（Ａ）参照）。また補強板３８は、前記上支持板用補強板３５の上面に接着される上支持板２の前後縁に折り伏し状となる前後の補強部１０を連設して成るものである（図５（Ｂ）参照）。
【００２２】
なお把手部２０における内部域は、支持部１を形成する上下の支持板２，５を配置するに足りるに十分で、支持部１で飲食商品Ｇを支持したときの持ち運ぶ者の手指が挿入されるに足りるものとされる。また図示にあっての貫挿孔３６はほぼ正方形状にして開穿されているも、これを上折曲支持爪片４が折り伏し可能なように上折曲支持爪片４の折曲縁に比し大きくなるものとさせれば、その形状は特に限定されるものではない。図示を省略したが、下支持板５を支持部域３２Ｂから連設し、上支持板用補強板３５を補強板３８に夫々配置形成することも可能である。
【００２３】
これの組立手順を説明すると、パッケージ本体板３１において、把手部２０内に配される下支持板５は折伏域３３の基部を支持部域３２Ａに連結した状態で、その前後縁で把手部２０の内縁から切り離す一方、同様に把手部２０内に配される上支持板用補強板３５は支持部域３２Ｂに連結した状態で、その前後縁で把手部２０の内縁から切り離し、底壁部９の左右で把手部２０を折り起こす。次いで図２に示すように、折伏域３３を支持部域３２Ａの内側面に、接合片３４を支持部域３２Ｂの内側面に夫々接着することで上下に配される支持板２，５によって左右の把手部２０内に支持部１を配置形成する。また貫挿孔３６と上商品支持孔３とを合致させることで補強板３８の上支持板２を上支持板用補強板３５上面に接着し、上支持板２の前後縁に連設してある補強部１０を下方に折り伏し可能にしておくのである。
【００２４】
またこのように組み立てられたパッケージは、図６に示すように補強部１０を上支持板２と面一となる平坦状に延ばした状態としておいて、全体を左右方向に折り伏すことで扁平状となり、その状態で多数段に積み重ねることで保管可能にする。この保管時において、場合によってはいずれか一方の把手部２０は反対側に折り伏されることで折り畳み時の左右方向に沿う全体幅員を一層小さくすることもできる。
【００２５】
図８乃至図１０に示された第２の実施の形態では、支持部１の一部を左右対称にし、把手部２０を一連に配置したパッケージ本体板４１と、このパッケージ本体板４１に接合される支持部１の一部、補強部１０を有する補強板４４とを別葉にし、接着によって一体構成したものである。すなわち図８に示すように、パッケージ本体板４１は、中央に配した底壁部９の左右両縁部に支持部域４２を介してコ字状となる左右の把手部２０を連設すると共に、左右の把手部２０内部には、左右に分割され、端縁が相互に突き合わせられることで支持部１を構成する半割支持板４３を連設することで左右対称に形成する（図８（Ａ）参照）。図示にあっての補強板４４は、端縁が突き合わせられた半割支持板４３の内側面に接着され、この半割支持板４３に開穿してある上商品支持孔３に比し大きく開穿した貫挿孔４６を設けた上支持板用補強板４５の前後縁に補強部１０を連設すると共に、いずれか一方の補強部１０から下支持板５を連設し、この下支持板５を他方の補強部１０に接続片４７を介して筒状に連結形成できるようにして成る（図８（Ｂ）参照）。
【００２６】
これの組立手順を説明すると、図９に示すように補強板４４において接続片４７を他方の補強部１０の内側面に接着して筒状に組み立てておき、パッケージ本体板４１において、半割支持板４３の前後両側縁を把手部２０から切り離し、底壁部９の左右把手部２０を折り起こす。次いで図１０に示すように支持部域４２から折り伏した左右の半割支持板４３の端縁相互を突き合わせると共に、この半割支持板４３の内側面に補強板４４における上支持板用補強板４５を接着することで組み立てるものである。
【００２７】
またこのように組み立てられたパッケージは、補強板４４を前後方向で扁平状に折り畳み、その後に把手部２０部分を左右方向で扁平状に折り畳むことで全体が折り畳まれるのである。
【００２８】
図１１乃至図１３に示された第３の実施の形態では、支持部１、補強部１０、把手部２０夫々を１枚の板厚紙に一連に配置したパッケージ本体板５１自体の接着によって一体構成したものである。すなわち図１１に示すように、パッケージ本体板５１は、中央に配した底壁部９の左右両縁部に支持部域５２を介してコ字状となる左右の把手部２０を連設すると共に、左右の把手部２０内部には、相互に表裏で接着されるよう、いずれか一方は上商品支持孔３が開穿されている上支持板２とし、いずれか他方は上商品支持孔３に対応合致する貫挿孔５４が開穿されている上支持板用補強板５３として、支持部域５２から夫々連設する一方、底壁部９の前後縁に折り起こし形成される前後の補強部１０を連設し、この補強部１０のいずれか一方には下支持板５を連設し、補強部１０のいずれか他方には下支持板５に接続する接続片５５を連設して成るものである。これは左右対称に各部が配置されたパッケージ本体板５１を形成することでパッケージを構成できるようにしたものである。なお接続片５５は、下支持板５の端縁に連設することも可能である。
【００２９】
これの組立手順を説明すると、図１１に示すように底壁部９の前後縁で補強部１０を折り起こす一方、底壁部９の左右両縁で折り起こしておき、接続片５５を他方の補強部１０に接続して、下支持板５、底壁部９によって筒状に形成して補強部１０を配置しておく。次いで図１２に示すように左右の把手部２０からは、支持部域５２に連設されている上支持板用補強板５３、上支持板２夫々を折り伏し、上支持板２の内側面に上支持板用補強板５３を接着することで組み立てるものであり、１枚の板厚紙によって構成できるのである。
【００３０】
またこのように組み立てられたパッケージは、補強部１０を前後方向で扁平状に折り畳み、その後に左右方向で扁平状に折り畳むことで全体が折り畳まれるのである。
【００３１】
図１４乃至図１７に示された第４の実施の形態では、支持部１の一部を左右対称にし、把手部２０を一連に配置したパッケージ本体板６１と、このパッケージ本体板６１に接合される支持部１の一部、補強部１０を有する補強板６５とを別葉にし、接着によって一体構成したものである。すなわち図１４に示すようにパッケージ本体板６１は、中央に配した底壁部９の左右両縁部に支持部域６２を介してコ字状となる左右の把手部２０を連設すると共に、左右の把手部２０内部には、相互に表裏で接着されるよう、いずれか一方は上商品支持孔３が開穿されている上支持板２とし、いずれか他方は上商品支持孔３に対応合致する貫挿孔６４が開穿されている上支持板用補強板６３として、支持部域６２から夫々連設することで左右対称に形成する（図１４（Ａ）参照）。図示にあっての補強板６５は、パッケージ本体板６１の底壁部９の内側面に、パッケージ本体板６１に対してほぼ直交状にして接着される半割接続片６６Ａの前後縁のいずれかに一方の補強部１０を介して下支持板５を連設し、この下支持板５から更に他方の補強部１０を介して、パッケージ本体板６１の底壁部９の内側面に接着される半割接続片６６Ｂを連設して成るものである（図１４（Ｂ）参照）。
【００３２】
これの組立手順を説明すると、図１５に示すように補強板６５において半割接続片６６Ａ，６６Ｂ相互の端縁が突き合わせ状になるように筒状に組み立てておき、パッケージ本体板６１において、上支持板２、上支持板用補強板６３の前後両側縁を把手部２０から切り離し、底壁部９の左右把手部２０を折り起こす。次いで図１６、１７に示すように半割接続片６６Ａ，６６Ｂを底壁部９の内側面に接着し、また下支持板５を上支持板２の下方に配置すると共に、上支持板用補強板６３を上支持板２の内側面に接着することで組み立てるものである。
【００３３】
またこのように組み立てられたパッケージは、補強部１０がある補強板６５部分を支持部１における前後方向で扁平状に折り畳み、その後に把手部２０部分を左右方向で扁平状に折り畳むことで全体が折り畳まれるのである。
【００３４】
図１８乃至図２１に示された第５の実施の形態では、底壁部９、補強部１０、把手部２０を一連に配置したパッケージ本体板７１と、このパッケージ本体板７１に接合されて支持部１となる上支持板２、下支持板５夫々とを別葉にし、接着によって一体構成したものである。すなわち図１８に示すように、パッケージ本体板７１は、中央に配した底壁部９の前後両縁部に折り起こし状の補強部１０を配し、更にこの補強部１０の前後縁には下支持板５を接続する接続片７５，７６を連設し、また左右両縁部に支持部域７２を介してコ字状となる左右の把手部２０を連設すると共に、左右の把手部２０内部には、相互に端縁で突き合わせ状となって上支持板２の内側面を接着するよう、上商品支持孔３に対応合致する貫挿孔７４が開穿されている半割補強片７３夫々を連設することで左右対称に形成する（図１８（Ａ）参照）。上支持板２は半割補強片７３夫々の表面に接着されるようにした上支持板２のみで単葉形態で形成されており（図１８（Ｃ）参照）、下支持板５は補強部１０の前後縁に連設した前記接続片７５，７６夫々に接着される下支持板５のみで単葉形態で形成されている（図１８（Ｂ）参照）。
【００３５】
これの組立手順を説明すると、図１９に示すように上支持板２はその上商品支持孔３を貫挿孔７４に合致させて半割補強片７３のいずれかの表面に接着連結する一方、下支持板５の前後縁のいずれか一方を補強部１０の前後縁のいずれか一方の接続片７６（７５）の外側面に接着連結する。次いで図２０に示すようにパッケージ本体板７１において、半割補強片７３の前後両側縁を把手部２０から切り離し、底壁部９の左右で把手部２０を折り起こすと共に、下支持板５の前後縁のいずれか他方を補強部１０の前後縁のいずれか他方の接続片７５（７６）に接着して連結固定して筒状に構成する。更に図２１に示すように他方の半割支持板７３を上支持板２の内側面に接着固定することで組み立てるものである。
【００３６】
またこのように組み立てられたパッケージは、補強部１０があることで、下支持板５、底壁部９によって形成される筒状部分を支持部１における前後方向で扁平状に折り畳み、その後に把手部２０部分を左右方向で扁平状に折り畳むことで全体が折り畳まれるのである。
【００３７】
図２２乃至図２５に示された第６の実施の形態では、底壁部９、支持部１の一部、把手部２０を一連に配置したパッケージ本体板８１と、このパッケージ本体板８１に接合されるよう支持部１の一部、補強部１０を有する補強板８５とを別葉にし、接着によって一体構成したものである。すなわち図２２に示すようにパッケージ本体板８１は、中央に配した底壁部９の左右両縁部に支持部域８２を介してコ字状となる左右の把手部２０を連設すると共に、左右の把手部２０内部には、相互に表裏で接着されるよう、いずれか一方は上商品支持孔３が開穿されている上支持板２とし、いずれか他方は上商品支持孔３に対応合致する貫挿孔８４が開穿されている上支持板用補強板８３として、支持部域８２から夫々連設することで左右対称に形成する（図２２（Ａ）参照）。図示にあっての補強板８５はパッケージ本体板８１に対してほぼ直交状にして上支持板用補強板８３に接着される半割接続片８６Ａの前後縁のいずれかに一方の補強部１０を介して下支持板５を連設し、この下支持板５から更に他方の補強部１０を介して、前記上支持板用補強板８３の内側面に接着される半割接続片８６Ｂを連設して成るものである（図２２（Ｂ）参照）。
【００３８】
これの組立手順を説明すると、図２３に示すように補強板８５において半割接続片８６Ａ，８６Ｂのいずれか一方を上支持板用補強板８３の内側面に接着連結しておく。次いで図２４に示すように、パッケージ本体板８１において、上支持板２、上支持板用補強板８３の前後両側縁を把手部２０の内縁から切り離し、底壁部９の左右把手部２０を折り起こすと共に、補強板８５自体における半割接続片８６Ａ，８６Ｂ相互の端縁が突き合わせ状になるように筒状に組み立てる。更に図２５に示すように半割接続片８６Ａ，８６Ｂを上支持板用補強板８３あるいは上支持板２の内側面に接着して上支持板２、半割接続片８６Ａ，８６Ｂ、上支持板用補強板８３で３層状に接着し、また下支持板５を上支持板２の下方に配置することで組み立てるものである。
【００３９】
またこのように組み立てられたパッケージは、補強部１０がある補強板８５部分を支持部１における前後方向で扁平状に折り畳み、その後に把手部２０部分を左右方向で扁平状に折り畳むことで全体が折り畳まれるのである。
【００４０】
図２６乃至図２９に示された第７の実施の形態では、底壁部９、支持部１の一部、把手部２０を一連に配置したパッケージ本体板９１と、このパッケージ本体板９１に接合されるよう支持部１の一部、補強部１０を有する補強板９４とを別葉にし、接着によって一体構成したものである。すなわち図２６に示すようにパッケージ本体板９１は、中央に配した底壁部９の左右両縁部に支持部域９２を介してコ字状となる左右の把手部２０を連設すると共に、左右の把手部２０内部には、相互に端縁で突き合わせ状となって上支持板２となるよう上商品支持孔３が開穿されている半割上支持板９３夫々を連設することで左右対称に形成する（図２６（Ａ）参照）。図示にあっての補強板９４はパッケージ本体板９１に対してほぼ直交状にして半割上支持板９３の前後部分のいずれかの内側面に接着されるよう、上商品支持孔３に対応合致する貫挿孔９６が開穿されている半割上支持板用補強片９５の前後縁のいずれかに一方の補強部１０を介して下支持板５を連設し、この下支持板５から更に他方の補強部１０を介して、前記半割上支持板９３の前後部分のいずれかの内側面に接着されるよう、上商品支持孔３に対応合致する貫挿孔９８が開穿されている半割上支持板用補強板９７を連設して成るものである（図２６（Ｂ）参照）。
【００４１】
これの組立手順を説明すると、図２７に示すようにパッケージ本体板９１に補強板９４がほぼ直交するように、いずれかの一方の半割上支持板９３の内側面の前後部分のいずれかに、その上商品支持孔に貫挿孔９６を合致させて、補強板９４における半割上支持板用補強片９５をいずれかの表面に接着連結する。次いで図２８に示すようにパッケージ本体板９１において、半割上支持板９３の前後両側縁を把手部２０から切り離し、底壁部９の左右で左右把手部２０を折り起こし、半割上支持板９３の端縁相互を突き合わせ状にする。更に図２９に示すように補強板９４を筒状にするように折曲し、これの他方の半割上支持板用補強片９７を、突き合わせた半割上支持板９３夫々の内側面に接着固定することで組み立てるものである。
【００４２】
またこのように組み立てられたパッケージは、支持部１自体を前後方向で扁平状に折り畳み、その後に把手部２０部分を左右方向で扁平状に折り畳むことで全体が折り畳まれるのである。
【００４３】
図３０乃至図３２に示された第８の実施の形態では、底壁部９、支持部１を一連に配置したパッケージ本体板１０１と、このパッケージ本体板１０１に接合されるよう別葉にした把手部２０とを接着によって一体構成したものである。すなわち図３０に示すようにパッケージ本体板１０１は、中央に配した底壁部９の左右両縁部に支持部域１０２を介して、いずれか一方の支持部域１０２には上支持板２を連設し、この上支持板２の前後縁から支持部域１０２の前後縁部分では切離されるようにして補強部１０を折り伏し状に連設すると共に他方の支持部域１０２に接合される接続片１０３を折曲状に連設し、またいずれか他方の支持部域１０２には上支持板２に重ね合わせて接着されるよう、上商品支持孔３に対応合致する貫挿孔１０５が開穿されている上支持板用補強板１０４、前記の一方の支持部域１０２に接合される折伏域１０６、下支持板５夫々を順次に連設し、下支持板５には更に他方の支持部域１０２内側面に接合される接続片１０７を連設して形成する（図３０（Ａ）参照）。また把手部２０は、図示のように底部が左右の支持部域１０２夫々の外側面に接合される接続片２１となっているほぼ矩形枠状に形成したもので、左右の把手部２０が別々に形成されている（図３０（Ｂ）参照）。図示にあっての接続片２１はその端縁が、支持部域１０２が底壁部９に連続する底縁部位に位置して接合されるものとしてあるも、支持部域１０２の半ば位置から接合されるようにすることも可能であり、場合によっては底壁部９を補強するように底壁部９を二重にする底部補強板の左右に把手部２０を対称的に配置することで左右の把手部２０を一体状にすることも可能である。
【００４４】
これの組立手順を説明すると、図３１に示すようにパッケージ本体板１０１において、底壁部９上に下支持板５が位置するように全体が１回転半状の筒構造になるように巻回して、接続片１０７を他方の支持部域１０２内側面に、折伏域１０６を一方の支持部域１０２内側面に夫々接着すると共に、上支持板用補強板１０４上に上支持板２を重ね合わせて、更に接続片１０３を他方の支持部域１０２の外側面に夫々接着するのであり、前後の補強部１０は一方の支持部域１０２の前後縁部位で切離し、下支持板５側に向けて折り伏し状にしておく。次いで図３２に示すように筒状に組み立てたパッケージ本体板１０１の左右に位置する支持部域１０２夫々の外側面に左右の把手部２０を重ね合わせ状にして接合するのである。
【００４５】
またこのように組み立てられたパッケージは、支持部１自体を左右方向で扁平状に折り畳むことで、把手部２０も追随して全体が左右方向で扁平状に折り畳まれるのであり、使用時には把手部２０を開くように起こし、前後の補強部１０を下方に折り伏すことで組み立てられる。なお、この第８の実施の形態においては、左右の把手部２０をパッケージ本体板１０１に接合させずに、パッケージ本体板１０１のみで組立、使用するようにすることも可能である。
【００４６】
図３３乃至図３５に示された第９の実施の形態では、底壁部９、把手部２０を一連に配置したパッケージ本体板１１１と、このパッケージ本体板１１１に接合されるよう支持部１、補強部１０を有する補強板１１３とを別葉にし、接着によって一体構成したものである。すなわち図３３に示すようにパッケージ本体板１１１は、中央に配した底壁部９の左右両縁部に支持部域１１２を介してコ字状となる左右の把手部２０を連設することで左右対称に形成する（図３３（Ａ）参照）。図示にあっての補強板１１３は下支持板５の左右両縁に支持部域１１２の内側面夫々に接合する左右の接合片１１４を連設すると共に、いずれか一方の接合片１１４には前後縁に補強部１０が折曲自在に連設されている上支持板２を連設し、いずれか他方の接合片１１４には上支持板２に重ね合わせて接着されるよう、上商品支持孔３に対応合致する貫挿孔１１６が開穿されている上支持板用補強板１１５を連設して成るものである（図３３（Ｂ）参照）。なお補強部１０は場合によっては上支持板２から連設せずに、下支持板５から連設することも可能であり、任意に選定できる。
【００４７】
これの組立手順を説明すると、図３４に示すようにパッケージ本体板１１１において底壁部９を中央にして左右の把手部２０を折り起こし、補強板１１３において下支持板５の上方で接合片１１４部位にて折り起こして上支持板２、上支持板用補強板１１５相互を接着させることで筒状に組み立てることで支持部１を構成しておくと共に、補強部１０を下支持板５側に折り伏しできるようにしておく。次いで図３５に示すように互いに左右で対峙する支持部域１１２の内側面に、筒状に組み立てた補強板１１３の左右の接合片１１４の外側面を接着固定することで組み立てるものである。
【００４８】
またこのように組み立てられたパッケージは、補強部１０を上支持板２と面一となるように平坦化させておいて、支持部１自体を左右方向で扁平状に折り畳み、その後に把手部２０部分を左右方向で扁平状に折り畳むことで全体が折り畳まれるのである。
【００４９】
なおこれらの第１、第８、第９の実施の形態夫々における折伏域３３，１０６、接合片１１４夫々は、その両脇部分においてほぼ四分の一円形状に抉られていることで、支持部域３２Ａ，１０２，１１２の内側面に対する接着作業を容易に行えるように配慮してあるも、これは任意であり、また他の実施の形態においても必要があれば同様に採用可能なものである。
【００５０】
次にこれの使用の一例を説明するに、ソフトクリーム等の飲食商品Ｇを軒先等で店頭販売する販売場所において、販売者が予め用意しておくもので、このとき図６に示すように、底壁部９によって左右に配されている把手部２０内の支持部１を左右方向あるいは前後方向に扁平状に折り込むと共に、左右の把手部２０を左右方向に折り畳むことで全体を扁平状にしておくのであり、およその使用量がその状態で重ね保管されているのである。なお全体を扁平状に折り畳むに際し、左右の把手部２０のいずれかを場合によっては把手部２０の基部で反対側に折曲折り伏すこともある。
【００５１】
そして販売に際し、一度に数多くの飲食商品Ｇを纏めて販売する場合に左右の把手部２０を底壁部９上で折り起こす一方、補強部１０を支持部１の前後縁で折り伏しあるいは折り起こし、あるいは上下の支持板２，５相互で、下支持板５、底壁部９相互で筒状に折り起こせばよく、こうした組立に際し例えばステープラーその他の特別な金属製止め具等を使用する必要はない。そしてこの組立状態で例えば販売台その他の適当な机上面に置き、支持部１における上下の支持板２，５夫々に開穿した上下の商品支持孔３，６夫々に飲食商品Ｇを半ば強制的に挿入セットし、場合によってはその底部を底壁部９上面に当接する（図３参照）。挿入セット後は、左右の把手部２０相互を上方に起立させるように持ち来たした後に合掌させて手指等にて握持し、それによって購入者に手渡せばよいものである（図１参照）。
【００５２】
【発明の効果】
本発明は以上のように構成されているために、販売後に直ちに供食されるような例えばソフトクリーム、カップ入り各種飲料等を軒先等で店頭販売するに際しては、数多くのものを一度に携帯保持でき、例えば混雑時でも簡単に数多くの飲食商品Ｇを受け渡しできて販売者、購入者双方にとって大きな利便性が図れるのである。しかも数多くのものを購入者が持ち帰るも飲食商品Ｇ等が傾倒することがない安定性、飲食商品Ｇ等の重量に耐え得る強度性があるばかりでなく、未使用時では扁平状に折り畳み保管してあっても使用時には各部を起こすだけで簡単迅速に使用できるのであり、また使用後は構成素材が板厚紙であること、組立に特別な止め具等を使用していないこと等によっても簡単に廃棄処理できる簡便性もあるのである。
【００５３】
すなわちソフトクリーム等の飲食商品Ｇを、店内でなく、車内、観光地・遊園地等のベンチ・芝生等の販売場所から離れた所で供食するに際し、購入者からの注文が一度に複数個であっても１個ずつ受け渡していた販売者の手間やロスタイムを削減して販売効率・生産性を大きく向上でき、併せて数名の購入者でも多数のソフトクリームを目的の場所まで安全かつ容易に持ち運びすることを可能にするのである。しかも従来、販売業者が内部的に使用していた１個毎の一時的な金属製の仮り置き台、すなわちソフト製造器の機械操作者が受付販売者に手渡すために使用していた置き台等が不要となるばかりでなく、それらの移動に要する時間が激減するのである。機械操作者は４個まで一連の作業を継続できて生産性が向上し、更に２名でチームを組むと製造に要する時間は機械の限度近くまでスピードアップを図ることが可能になる。
【００５４】
更にはソフトクリームはその特質・形状等からいわゆる寝かせた状態とすることはできず、しかも卓上に自立状態で置くこともできないから、従来では販売者は購入者に１個毎に手渡す販売方法を基本とし、販売者・購入者ともに永年の慣習から、購入者は購入個数に相当する個数を直接に手指等で持てる人数を確保することを暗黙の了解事項として、商品の授受が行われているのである。従って、購入数の中に幼児に与える分が含まれていても、購入者の大人が代わりに持つことができなければ、幼児にも持たせることになり、それは高齢者についても同様である。これに対し、本発明に係るパッケージを使用すると、購入者は全員が店頭に並ぶ必要がなくなり、ソフトクリームであっても、カップ入りのアイスクリームや他の食品と同じように、家族連れであれば一人で、グループであれば数人でというように、購入者の負担を軽減して持ち運びの利便性を向上させることができる。
【００５５】
こうしたことから、本発明パッケージに飲食商品Ｇを収容セットしておくことで自立状態の保持が可能となり、販売受付者、購入者共に両手が使用でき、購入代金の精算が容易になり、購入者への商品受け渡しが１度で済むことで受け渡しに要していた時間が激減すると共に、購入者の段取りの影響を受けにくくなるのである。しかも上記により繁忙時でも一連の作業がスムーズに行われるから、所要時間・所要人員が削減でき生産性が大きく向上し、併せて店頭の混雑も大幅に改善されるのである。
【００５６】
またソフトクリームはその時、その場所の雰囲気等で左右され易い飲食商品であり、購入の意志があっても並んでいる人数によって購入を躊躇し、断念する場合がある。そのため本発明パッケージの使用により飲食商品Ｇの授受が円滑に行われることで並んでいる人数が減少すれば、購入意欲を妨げず予定の購入を促すことができる。そればかりでなくグループ等で購入するの場合、従来は持ち手を確保する必要からも全員の合意を必要としていたが、リーダー・幹事の判断で購入が可能になる。更には少人数グループの場合には奢るという個人の意志に基づく新しい需要をも創造でき、特にバス旅行者では乗車後に車内で供食するための購入が期待できるから、新たな購入者の購入意欲を増進させ、販売数の増加をも期待できるのである。
【００５７】
以上説明したように、本発明によれば、複数の飲食商品Ｇを挿入して立てた状態で上下で支持する支持部１を補強部１０によって補強し、またその支持部１を把手部２０によって持つようにしたから、ソフトクリームの如き自立し難く、持ち運びに不便な飲食商品Ｇを一度に多数で、販売者、購入者相互間で迅速に授受でき、しかも安定した状態で安心して持ち運ぶことができ、未使用時では扁平状に折り畳むことで保管スペースの無駄がなく、使用に際しては各部を起こすことで使用でき、しかもそのままの状態で飲食商品Ｇを挿入セットできるように置くことができ、使用後では簡単に廃棄でき、しかも焼却するも有害ガスその他の発生等の公害問題を生じることもないのである。
【図面の簡単な説明】
【図１】本発明の第１の実施の形態を示す組立、使用状態の一部切欠斜視図である。
【図２】同じく組立前における分解斜視図である。
【図３】同じく組立後における飲食商品を収納保持した状態の断面図であり、その（Ａ）は大径広幅タイプの飲食商品を収納した場合、その（Ｂ）は小径狭幅タイプの飲食商品を収納した場合のものである。
【図４】同じく商品支持孔の平面図である。
【図５】同じく構成部品の展開図であり、（Ａ）はパッケージ本体板、（Ｂ）は補強板夫々を示す。
【図６】同じく保管時における折り畳み状態の斜視図である。
【図７】同じく本発明の構想を表す概念図である。
【図８】本発明の第２の実施の形態における構成部品の展開図であり、（Ａ）はパッケージ本体板、（Ｂ）は補強板夫々を示す。
【図９】同じくその第１段階の組立途中における斜視図である。
【図１０】同じくその第２段階の組立途中における斜視図である。
【図１１】本発明の第３の実施の形態における構成部品の展開図である。
【図１２】同じくその第１段階の組立途中における斜視図である。
【図１３】同じくその第２段階の組立途中における斜視図である。
【図１４】本発明の第４の実施の形態における構成部品の展開図であり、（Ａ）はパッケージ本体板、（Ｂ）は補強板夫々を示す。
【図１５】同じく構成部品を接着した状態の斜視図である。
【図１６】同じくその第１段階の組立途中における斜視図である。
【図１７】同じくその第２段階の組立途中における斜視図である。
【図１８】本発明の第５の実施の形態における構成部品の展開図であり、（Ａ）はパッケージ本体板、（Ｂ）は下支持板、（Ｃ）は上支持板夫々を示す。
【図１９】同じく構成部品を接着した状態の斜視図である。
【図２０】同じくその第１段階の組立途中における斜視図である。
【図２１】同じくその第２段階の組立途中における斜視図である。
【図２２】本発明の第６の実施の形態における構成部品の展開図であり、（Ａ）はパッケージ本体板、（Ｂ）は補強板夫々を示す。
【図２３】同じく構成部品を接着した状態の斜視図である。
【図２４】同じくその第１段階の組立途中における斜視図である。
【図２５】同じくその第２段階の組立途中における斜視図である。
【図２６】本発明の第７の実施の形態における構成部品の展開図であり、（Ａ）はパッケージ本体板、（Ｂ）は補強板夫々を示す。
【図２７】同じく構成部品を接着した状態の斜視図である。
【図２８】同じくその第１段階の組立途中における斜視図である。
【図２９】同じくその第２段階の組立途中における斜視図である。
【図３０】本発明の第８の実施の形態における構成部品の展開図であり、（Ａ）はパッケージ本体板、（Ｂ）は把手部夫々を示す。
【図３１】同じくその第１段階の組立途中における斜視図である。
【図３２】同じくその第２段階の組立途中における斜視図である。
【図３３】本発明の第９の実施の形態における構成部品の展開図であり、（Ａ）はパッケージ本体板、（Ｂ）は補強板夫々を示す。
【図３４】同じくその第１段階の組立途中における斜視図である。
【図３５】同じくその第２段階の組立途中における斜視図である。
【符号の説明】
Ｇ…飲食商品
１…支持部                          ２…上支持板
３…上商品支持孔                    ４…上折曲支持爪片
５…下支持板                        ６…下商品支持孔
７…下折曲支持爪片                  ９…底壁部
１０…補強部
２０…把手部                        ２１…接続片
３１…パッケージ本体板              ３２Ａ，３２Ｂ…支持部域
３３…折伏域                        ３４…接合片
３５…上支持板用補強板              ３６…貫挿孔
３７…接合片                        ３８…補強板
４１…パッケージ本体板              ４２…支持部域
４３…半割支持板                    ４４…補強板
４５…上支持板用補強板              ４６…貫挿孔
４７…接続片
５１…パッケージ本体板              ５２…支持部域
５３…上支持板用補強板              ５４…貫挿孔
５５…接続片
６１…パッケージ本体板              ６２…支持部域
６３…上支持板用補強板              ６４…貫挿孔
６５…補強板                        ６６Ａ，６６Ｂ…半割接続片
７１…パッケージ本体板              ７２…支持部域
７３…半割補強片                    ７４…貫挿孔
７５，７６…接続片
８１…パッケージ本体板              ８２…支持部域
８３…上支持板用補強板              ８４…貫挿孔
８５…補強板                        ８６Ａ，８６Ｂ…半割接続片
９１…パッケージ本体板              ９２…支持部域
９３…半割上支持板                  ９４…補強板
９５…半割上支持板用補強片          ９６…貫挿孔
９７…半割上支持板用補強片          ９８…貫挿孔
１０１…パッケージ本体板            １０２…支持部域
１０３…接続片                      １０４…上支持板用補強板
１０５…貫挿孔                      １０６…折伏域
１０７…接続片
１１１…パッケージ本体板            １１２…支持部域
１１３…補強板                      １１４…接合片
１１５…上支持板用補強板            １１６…貫挿孔
ａ，ｂ…折り込み線
【図１】
0003590617.tif 000002
【図２】
0003590617.tif 000003
【図３】
0003590617.tif 000004
【図４】
0003590617.tif 000005
【図５】
0003590617.tif 000006
【図６】
0003590617.tif 000007
【図７】
0003590617.tif 000008
【図８】
0003590617.tif 000009
【図９】
0003590617.tif 000010
【図１０】
0003590617.tif 000011
【図１１】
0003590617.tif 000012
【図１２】
0003590617.tif 000013
【図１３】
0003590617.tif 000014
【図１４】
0003590617.tif 000015
【図１５】
0003590617.tif 000016
【図１６】
0003590617.tif 000017
【図１７】
0003590617.tif 000018
【図１８】
0003590617.tif 000019
【図１９】
0003590617.tif 000020
【図２０】
0003590617.tif 000021
【図２１】
0003590617.tif 000022
【図２２】
0003590617.tif 000023
【図２３】
0003590617.tif 000024
【図２４】
0003590617.tif 000025
【図２５】
0003590617.tif 000026
【図２６】
0003590617.tif 000027
【図２７】
0003590617.tif 000028
【図２８】
0003590617.tif 000029
【図２９】
0003590617.tif 000030
【図３０】
0003590617.tif 000031
【図３１】
0003590617.tif 000032
【図３２】
0003590617.tif 000033
【図３３】
0003590617.tif 000034
【図３４】
0003590617.tif 000035
【図３５】
0003590617.tif 000036